(57)【要約】      （修正有）【課題】少ない動きで折り畳むことができる改善された折り畳み眼鏡を提供する。【解決手段】折り畳み式眼鏡１１であり、２つの眼鏡レンズ１３の間に設けた第１折り畳み機構と、それぞれ２つのレンズ１３の１つと、左または右側板１７との間に設けた第２折り畳み機構２１であり、それにより折り畳み式眼鏡１１をＭ字に折り畳むことができる、第２折り畳み機構２１と、側板１７に沿って整列した軸上を回転することができ、側板１７とともに保護ハウジングを形成する、側板１７と少なくとも１つのフラップ２５との間に設けた第３折り畳み機構２３とを備えており、第１、第２および第３折り畳み機構２１、２３はそれぞれ第１および第２端位置を備える。【選択図】図１
2016035577.tif 000002
【特許請求の範囲】
【請求項１】
折り畳み式眼鏡（１１）であり、
２つの眼鏡レンズ（１３）の間に設けた第１折り畳み機構（１９）と、
それぞれ２つのレンズ（１３）の１つと、左または右側板（１７）との間に設けた第２折り畳み機構（２１）であり、それにより前記折り畳み式眼鏡（１１）をＭ字に折り畳むことができる、第２折り畳み機構（２１）と、
前記側板（１７）に沿って整列した軸上を回転することができ、前記側板（１７）とともに保護ハウジングを形成する、前記側板（１７）と少なくとも１つのフラップ（２５、２７）との間に設けた第３折り畳み機構（２３）とを備えており、第１、第２および第３折り畳み機構（１９、２１、２３）はそれぞれ第１および第２端位置を備えている、折り畳み式眼鏡（１１）であって、
前記第２折り畳み機構（２１）と前記第３折り畳み機構（２３）は、互いに調整機構（３１）により連結し、前記側板（１７）の回転が少なくとも１つのフラップ（２５、２７）の回転に影響することを特徴とする、折り畳み式眼鏡（１１）。
【請求項２】
前記調整機構（３１）は第１および第２端（３３、３５）を備えたガイドロッドとして実現され、前記第１端（３３）は前記レンズ（１３）の外リム上にジョイントまたは前記レンズ（１３）の外リム上にエクステンション（３６）が付いていること、および前記第２端（３５）を前記側板（１７）の縦方向拡張に沿って直線運動させることを特徴とする請求項１に記載の折り畳み式眼鏡。
【請求項３】
ガイドピン（３７ａ、３７ｂ）は前記第２端（３５）上に配置され、前記側板（１７）のガイドレール（３９）上を移動することができることを特徴とする、請求項２に記載の折り畳み式眼鏡。
【請求項４】
前記ガイドピン（３７ａ、３７ｂ）の端部はフラップ（２７、２９）上にそれぞれ設けた接続リンク（４３ａ、４３ｂ）に噛み合っていることを特徴とする、請求項３に記載の折り畳み式眼鏡。
【請求項５】
前記接続リンク（４３ａ、４３ｂ）は、ガイドピン（３７ａ、３７ｂ）の直線運動により軸を中心としてフラップ（２７、２９）が回転するように具体化することを特徴とする、請求項４に記載の折り畳み式眼鏡。
【請求項６】
ガイドレール（３９）はスプリング要素、特にリーフスプリング（４１）により覆うことにより、ガイドロッド（３１）は第１および第２端位置に固定できることを特徴とする、請求項３〜５のいずれか１項に記載の折り畳み式眼鏡。
【請求項７】
前記側板（１７）は、支持板（４７）を備えており、前記支持板（４７）上に前記少なくとも１つのフラップ（２５、２７）を配置し、また、前記側板（１７）は耳フック部分（４９）を備えている、前記請求項のいずれか１項に記載の折り畳み式眼鏡。
【請求項８】
前記耳フック部分（４９）は、前記少なくとも１つのフラップ（２７、２９）上を回転できるように配置すること、および折り畳み式眼鏡（１１）の折り畳んだ状態で保護ハウジングの一部を形成することを特徴とする、請求項７に記載の折り畳み式眼鏡。
【請求項９】
スプリング要素（５７）で眼鏡レンズ（１３）を第１および第２端位置の両方にプリテンションをかけることにより前記第１折り畳み機構（１９）にプリテンションをかけることを特徴とする、前記請求項のいずれか１項に記載の折り畳み式眼鏡。
【請求項１０】
前記スプリング要素（５７）は、２つのレグ（５９）および前記レグ（５９）を接続するエルボ（６１）とともに実質的にΩ形状を形成していることを特徴とする、請求項９に記載の折り畳み式眼鏡。
【請求項１１】
前記エルボ（６１）は双安定機能を有しており、それにより前記スプリング要素（５７）は反対方向にプレテンションをかけることができる、請求項１０に記載の折り畳み式眼鏡。
【請求項１２】
前記レグ（５９）および前記エルボ（６１）からの移行において、前記眼鏡レンズ（１３）上に前記スプリング要素（５７）を保持するように設計したデバイスを保持するための容器（６３）を設けることを特徴とする、請求項１０または１１のいずれか１項に記載の折り畳み式眼鏡。
【請求項１３】
前記折り畳み式眼鏡（１１）はフレーム（１５）を備えており、前記フレーム（１５）に、カメラ（７１、７５）が前記第２折り畳み機構（２１）の領域において少なくとも一方の側に一体化していることを特徴とする、前記請求項のいずれか１項に記載の折り畳み式眼鏡。
【請求項１４】
カメラ（７１、７５）は、外側または内側に回転できること、前記フレーム（１５）に対して回転できる球（７３）に一体化していることを特徴とする、請求項１３に記載の折り畳み式眼鏡。
【請求項１５】
前記折り畳み式眼鏡（１１）は、ディスプレイ（７２）を備えていることを特徴とする、前記請求項のいずれか１項に記載の折り畳み式眼鏡。
【発明の詳細な説明】
【技術分野】
【０００１】
本発明は、請求項１に記載の総称による折り畳み式眼鏡に関する。
【背景技術】
【０００２】
少なくとも１つのフラップを２つの側板に備えた折り畳み式眼鏡が、ＷＯ２０１０／０２２９００から公知である。フラップは、折り畳んだ眼鏡の保護ハウジングの一部分である。開示された折り畳み式眼鏡は、第１、第２および第３折り畳み機構を備えている。第１折り畳み機構を、２つのレンズの接続ブリッジに配置していることにより、眼鏡レンズを互いに折り畳むことができる。第２折り畳み機構は、公知のように、一方の側板と眼鏡レンズとの間にジョイントを備えている。第３折り畳み機構は、フラップを折り畳みおよび折り畳んだ状態から開く役割を果たす。３回の折り畳みにより、折り畳み式眼鏡は非常に小さいサイズにいっしょに折り畳むことができる。折り畳んだ状態で、折り畳み式眼鏡を、折込みフラップで保護する。しかしながら、特に、１対のフラップが２つの側板の各々の上下でヒンジ接続するとき、比較的多数の動きが眼鏡を折り畳みおよび折り畳んだ状態から開くことに必要とされる。
【先行技術文献】
【特許文献】
【０００３】
【特許文献１】ＷＯ２０１０／０２２９００
【発明の概要】
【発明が解決しようとする課題】
【０００４】
本発明の目的は、先行技術による折り畳み式眼鏡よりも少ない動きでいっしょに折り畳むことができる改善された折り畳み眼鏡を提案することである。
【課題を解決するための手段】
【０００５】
本発明によれば、請求項１の折り畳み式眼鏡の目的は、第２折り畳み機構と第３折り畳み機構が、調整機構により、側板の回転が少なくとも１つのフラップの回転に影響するように互いに接続することで達成される。２つの端位置間のフラップを追加で手動で折り畳みおよび折り畳んだ状態から開くことは、先行技術とは異なり、本発明による折り畳み式眼鏡には必要ない。第２折り畳み機構を稼働させると、自動的にフラップが回転して第２折込み機構に対応する位置になる。したがって、折り畳み式眼鏡は、たった数回の動きで容易且つ迅速に折り畳みおよび折り畳んだ状態から開くことができる。
【０００６】
特定の好ましい実施態様によれば、調整機構は、第１端および第２端を備えたガイドロッドであって、第１端はレンズの外リム上のジョイントまたレンズの外リム上のエクステンションが取り付けられており、第２端は側板の縦方向の拡大に沿って直線運動するガイドロッドとして実現される。また、ガイドロッドは、剪断力および張力を吸収できる限り、異なる機械的アクチュエータであることもできる。第２および第３折り畳み機構を１つの機械部品とだけ単純に接続することにより、側板とフラップとの信頼性のある相互作用が可能となる。
【０００７】
このため、ガイドピンは第２端上に配置され、側板のガイドレール上を動くことができる。驚くほど簡単な方法で、ガイドピンはガイドロッドとともに、第２折り畳み機構の回転運動を直線運動とする目的を達成する。実行可能な代替方法として、はめ歯歯車を駆動する歯付きバーを用いることができるであろう。
【０００８】
好ましくは、ガイドピンは、ガイドピンの端がフラップ上にそれぞれ形成される接続リンクに噛み合うことを容易にするさらなる役割を果たす。直線ピン運動は、フラップ運動に転換できる。接続リンクを、例えば、フラップ上に配置した中空シリンダーのスリーブ表面上に設け、それによりピン運動がフラップの回転運動に変換できる。
【０００９】
さらなる特に好ましい実施態様によれば、接続リンクはガイドピンの直線運動により軸を中心としてフラップを回転させるように形成している。このため、スクリュー形状の接続リンクはスリーブ表面上に形成する。らせん体のピッチは、第２および第３折り畳み機構の第１および第２端位置がちょうど一致するのに十分な大きさとする。
【００１０】
ガイドレールをスプリング要素、特にリーフスプリングにより覆うことにより、ガイドロッドがガイドレールの第１および第２端位置に固定できることが好ましい。リーフスプリングは、ガイドレールの一部分を構成し、ガイドピンをガイドレール上に押し付けるようにプレテンションをかける。第１および第２端位置でガイドレールに窪みを設ける。その窪みの中に、ガイドピンがリーフスプリングにより押し込まれる。それにより、折り畳み式眼鏡は、折り畳み位置および折り畳みからの開き位置に固定し、さらなる支持が必要ない（例えば、先行技術で提案されているような磁気ロック）。剪断力または張力に暴露すると、ガイドピンはリーフスプリングのプリテンションに抵抗して窪みから突然抜け出し、ガイドルールに沿って引っ張りまたは押すことができる。
【００１１】
側板は支持板であり、支持板の上に、少なくとも１つのフラップを配置し、支持板は耳フック部分を備えているので、耳フック部分は保護ハウジングの下部分としての機能を果たすのに使用できる。このため、耳フック部分は、折り畳み式眼鏡を一緒に折り畳んだときに下フラップの間の開放底空間を閉じることができる。
【００１２】
さらに好ましい実施態様によれば、耳フック部分は、少なくとも１つのフラップ上で旋回でき、折り畳み式眼鏡を一緒に折り畳んだときに保護ハウジングの一部分を構成するように配置する。耳フック部分を少なくとも１つのフラップ、好ましくは下フラップに接続するのに用いるジョイントは、停止表面を備えている。それにより、耳フック部分は安定であり、折り畳み式眼鏡がすり減ったときにその折り畳みから伸ばした位置、および保護ハウジングの一部分としての折り畳み位置で揺れない。
【００１３】
第１折り畳み機構にスプリング要素によりプレテンションをかけ、それにより第１および第２端位置の両方においてレンズにプレテンションをかける。スプリング要素は、第１折り畳み機構を第１および第２端位置に安定に保ち、これらの端位置の間の移行がスプリング要素のプレテンション力を克服することにより可能である。
【００１４】
このため、スプリング要素は２つのレグと、レグを接続するエルボを有する実質的にΩ字形状をしている。この形状により、スプリング要素を眼鏡フレームに簡単に支持し、締結できる。また、第１折り畳み機構の端位置にラッチまたはクロージャ（磁気クロージャ）を設けることもできる。
【００１５】
さらに特に好ましい実施態様によれば、エルボは双安定機能を有しており、それによりスプリング要素は反対方向にプレテンションをかけることができる。それにより、スプリング要素により、さらなる支持体またはラッチを必要とすることなく第１折り畳み機構を、第１および第２位置に保持する。
【００１６】
好ましくは、眼鏡レンズ上にスプリング要素を保持するように設計された要素を保持するための容器はレグとエルボとの間の移行上に設けるので、眼鏡フレームにおける容器を通して保持ピンを挿入することにより簡単で確実な方法でスプリング要素を眼鏡フレームに接続できる。
【００１７】
別の実施態様によれば、折り畳み式眼鏡はフレームを備えており、そのフレームにおいて、カメラは、第２折り畳み機構の領域で少なくとも一方の側で一体化している。カメラは、視線に向いており、保持する必要はなく、それによりユーザーはそれについて考えることなく、解梱することなく、または調整することなく使用できる。
【００１８】
さらに特に好ましい実施態様によれば、カメラは外側または内側に回転でき、球に一体化し、球はフレームに対して回転できる。内側に回転する状態で、球表面を眼鏡フレームの表面に調整したときにカメラを閉じ、ほぼ見えないようにする。カメラを使用するために球を回転することが、球状のため特に簡単であり、取扱いが容易である。
【００１９】
さらに好ましい実施態様によれば、折り畳み式眼鏡は、ディスプレイを備えている。また、折り畳み式眼鏡は、いわゆる「スマート（賢い；ｓｍａｒｔ）眼鏡」として実現される。「スマート眼鏡」として使用すると、好ましくは、折り畳み式眼鏡は、主に矯正レンズとしてではなく、カメラ、ディスプレイおよびｍｐ３プレーヤーなどの電子装置のための支持要素としての役割を果たす。したがって、眼鏡レンズは、このような折り畳み式眼鏡の用途には必ずしも必要ではない。
【００２０】
さらなる利点および特徴は、概略図を参照して説明する代表的な実施態様から明らかであろう。図は、正確な縮尺図ではない。
【図面の簡単な説明】
【００２１】
【図１】本発明による折り畳み式眼鏡の制御機構の詳細切開図（上フラップを欠く）。
【図２】側板を取り除いた状態の部分的折り畳み状態における折り畳み式眼鏡の不等角投影図。
【図３】側板を備えた追加の部分的に折り畳んだ状態における折り畳み式眼鏡の不等角投影図。
【図４】本発明による折り畳み式眼鏡の分解図。
【図５】眼鏡レンズのプレテンション用スプリング要素の図。
【図６】第１折り畳み機構に一体化したスプリング要素の不等角投影図。
【図７】「スマート眼鏡」の変更態様における折り畳み式眼鏡の上面図。
【図８ａ】一体カメラを備えた折り畳み式眼鏡の詳細の不等角投影図。
【図８ｂ】眼鏡フレームの折り畳み位置におけるカメラ。
【図９ａ】切開状態のカメラの上面図。
【図９ｂ】眼鏡フレームの折り畳み位置におけるカメラの切開図。
【発明を実施するための形態】
【００２２】
図１〜図４に、折り畳み式眼鏡の部分図を示す。これらの図では、折り畳み式眼鏡は総称的に参照番号１１で示す。折り畳み式眼鏡１１は、２つの眼鏡レンズ１３、眼鏡フレーム１５および２つの側板１７を備えている。また、レンズをフレーム１５に入れない、すなわち、いわゆるフレームレス眼鏡も可能である。２つの眼鏡レンズ１３は、第１折り畳み機構１９によりそれらの外側で互いに折り畳むことができる。
【００２３】
第２折り畳み機構２１は、眼鏡フレーム１５と側板１７との間に設ける。第２折り畳み機構を介して、側板１７は、眼鏡レンズ１３上に折り畳むことができる。
【００２４】
第３折り畳み機２３は、下および上フラップ２５、２７を側板１７の縦軸に沿って折り畳みおよび伸ばすことができ、したがって、第１端位置と第２端位置との間で回転できる。ＷＯ２０１０／０２２９００に詳細に説明したように、上フラップ２７は角度のある領域２９を有しており、第１端位置において眼鏡レンズの上リムを覆うことができ、第２端位置における側板１７の内側上で折り畳んだ状態から開く。
【００２５】
第２折り畳み機構２１および第３折り畳み機構２３は、互いに調整機構３１により連結する。好ましくは、調整機構はガイドロール３１またはアクチュエータ３１の形態で実行する。ガイドロッド３１は第１端３３および第２端３５を有している。第１端３３は、ジョイントを備えており、眼鏡レンズ１３またはフレーム１５の外リムに連結しており、リムはエクステンション３６であることができる。第２折り畳み機構２１は、側板１７を眼鏡レンズ１３の内側に回転することにより稼働するとき、ガイドロッド３１の第２端３５も動く。第２端の移動をガイドするように、ガイドピン３７ａ、３７ｂを、第２端３５の上および底でのガイドロッド３１上に形成または配置する。ガイドピン３７ａ、３７ｂは２つの機能を果たす。
【００２６】
一方、ガイドピン３７ａ、３７ｂは、側板１７のガイドレール３９に入れる。ガイドレール３９は、ガイドピン３７ａ、３７ｂが側板１７の縦方向の拡張に沿って強制的に直線運動させる役割を果たす。ガイドピン３７ａ、３７ｂを、第２折り畳み機構２１の開位置および閉位置に対応する第１および第２端位置に係合できるようにするために、リーフスプリング４１を設ける。リーフスプリング４１にプレテンションをかけ、リーフスプリング４１により、ガイドピン３７ａ、３７ｂをガイドレール３９の２端に設けた凹み（図示せず）に押し込む。したがって、ガイドピンは、第２折り畳み機構２１をその第１および第２端位置に保持する。スプリング圧を発揮すると、ガイドピン３７ａ、３７ｂは凹みをでてガイドレール３９に移動する。
【００２７】
一方、ガイドピン３７ａ、３７ｂは、それらの直線運動が上下のフラップ２５、２７の回転運動を生じさせるのを容易にする。これを達成するために、ガイドピン３７ａ、３７ｂを、フラップ２５、２７の接続リンク４３ａ、４３ｂに挿入する。接続リンク４３ａ、４３ｂは、側板の縦方向に延びている回転円筒４５ａ、４５ｂのスリーブ表面上に部分的にスクリュー形状をした導管を形成する。スクリュー状導管は、ガイドピン３７ａ、３７ｂの直線運動をフラップ２５、２７の回転運動に変換する。フラップ２５、２７は、先行技術でそうであるように、眼鏡レンズ１３の保護のために別個に折り畳んだり、折り畳んだのを開いたりする必要がなく、代わりに、側板の移動と同期して自動的に折り畳んだり、折り畳んだのを開いたりする。
【００２８】
すでに先行技術から知られているように、側板１７は、支持板４７と耳フック部分４９を備えている。耳フック部分を、下フラップ２７上にヒンジ連結し、第１ジョイント５１を中心とした回転により底部側のフラップ２５、２７から形成されている保護ハウジングを閉じる。第１ジョイント５１は第１停止表面５３を有しており、下フラップを折り畳んだときに、第１停止表面５３に対して、支持板４７上に停止する。第２停止表面５５は、耳フック部分を折り畳み式眼鏡１１を装着するために折り畳んだ状態から開くときに、限界停止部として機能させるために耳フック部分４９上に形成される。
【００２９】
第１折り畳み機構１９に、スプリング要素５７（好ましくはΩ形状）によりプレテンションをかける。したがって、スプリング要素５７は、２つのレグ５９と、レグを連結する１つのエルボ６１を備えている。レグ５９からエルボ６１に移行において、容器６３を設ける。保持ピン６５の形態で保持装置を、容器６３に挿入できる。第１折り畳み機構１９を移動させるとき、スプリング要素５７を、レグ５９で眼鏡フレール上に支持し、保持ピン６５により眼鏡フレームに固定する。第１端位置において、眼鏡レンズ１３を折り畳んだ状態から開き、この位置で、スプリング要素５７によりプレテンションをかける。それにより、眼鏡レンズ１３は、第３停止表面６７上に一緒に押圧される。図６は、折り畳み式眼鏡１１の不等角投影正面図であり、眼鏡レンズ１３は第２ジョイント６９周囲の前面に旋回することができることを示す。眼鏡レンズ１３は後部に旋回して折り畳み式眼鏡１１を一緒に折り畳む場合、スプリング要素は一定の回転角まで抵抗する。この回転角を超えると、スプリング要素５７は眼鏡レンズを反対方向に押圧する。それにより、第１折り畳み機構の折り畳んだ端位置において眼鏡レンズ１３にプレテンションがかかる。したがって、スプリング要素は、２つの反対方向にプレテンションをかけることができるので双安定である。
【００３０】
さらなる特徴は、折り畳み式眼鏡に一体化した少なくとも１つのカメラ７１にあり、図７〜図９に示す。したがって、折り畳み式眼鏡１１は、いわゆる「スマート眼鏡」であることができる。このマーケティング用語は、眼鏡がカメラ、一体化したｍｐ３プレーヤーまたは活性ディスプレイ７２（ＳＭＳメッセージまたは他の機能（「スマートフォン」にも設けられているナビゲーションおよび他のディスプレイ））などの追加の電子機能を備えることができる。このような「スマート眼鏡」は、必ずしも眼鏡レンズを備える必要はなく、カメラ７１、ディスプレイ７２などのためのキャリアとしてだけ機能することもできる。カメラ７１には、保持する必要がないが、眼鏡の装着者がどの方向をみていようといつでも写真をとることができる利点がある。
【００３１】
カメラ７１は、第２折り畳み機構の領域、例えば、エクステンション３６に位置させ、球７３に一体化する。球７３をフレーム１５に一体化し、そこに回転可能に保持する。球７３の回転はフレーム１５に係止すること、および球は権限保持者によってのみ回転できることが可能である。図９ａおよび図９ｂは、明確さの面からフレーム１５を図示していない。球は、フレームの表面に合わせて調整して形作る。図８ｂは、球７３が内側に回転した位置において眼鏡フレーム１５に完全に一体化することを示している。この位置において、カメラ７１は眼鏡フレーム１５に回転して入り、したがって、閉じる。カメラ７１がフレームに回転して入ると、球７３の表面とフレーム１５は１つの共通表面を形成する。また、第２カメラ７５を球に一体化でき、好ましくは球７３において第１カメラ７１とは反対に配置する。カメラ７１、７５は異なる解像度を有することができる。
【符号の説明】
【００３２】
符号：
１１  折り畳み式眼鏡
１３  眼鏡レンズ
１５  眼鏡フレーム
１７  側板
１９  第１折り畳み機構
２１  第２折り畳み機構
２３  第３折り畳み機構
２５  下フラップ
２７  上フラップ
２９  角範囲
３１  調整機構、ガイドロッド、アクチュエータ
３３  ガイドロッドの第１端
３５  ガイドロッドの第２端
３６  眼鏡フレームのエクステンション
３７ａ、３７ｂ  ガイドピン
３９  ガイドレール
４１  リーフスプリング
４３ａ、４３ｂ  接続リンク
４５ａ、４５ｂ  回転円筒
４７  支持板
４９  耳フック部分
５１  第１ジョイント
５３  第１停止表面
５５  第２停止表面
５７  スプリング要素
５９  レグ
６１  エルボ
６３  容器
６５  保持ピン
６７  第３停止表面
６９  第２ジョイント
７１  第１カメラ
７２  ディスプレイ
７３  球
７５  第２カメラ
【図１】
2016035577.tif 000003
【図２】
2016035577.tif 000004
【図３】
2016035577.tif 000005
【図４】
2016035577.tif 000006
【図５】
2016035577.tif 000007
【図６】
2016035577.tif 000008
【図７】
2016035577.tif 000009
【図８ａ】
2016035577.tif 000010
【図８ｂ】
2016035577.tif 000011
【図９ａ】
2016035577.tif 000012
【図９ｂ】
2016035577.tif 000013